(57)【要約】【課題】テレビジョン受像機において、音声の出力方向を簡単な操作によって任意の方向に調整できるようにする。【解決手段】テレビジョン受像機は、画像を表示するためのディスプレイと、音声を出力するためのスピーカと、ユーザに操作されるリモコン４とを備える。スピーカは、リモコン４の操作を受けて、上方向、下方向、左方向、右方向の４方向に向きが変化するようになっている。リモコン４には、スピーカの向きを変化させるために操作される十字キー４３が設けられており、十字キー４３は、スピーカの向きの変化方向である上方向、下方向、左方向、右方向の４方向に対応して、４つの操作部４３ａ、４３ｂ、４３ｃ、４３ｄを有する。操作部４３ａ、４３ｂ、４３ｃ、４３ｄのいずれかが押下操作される毎に、その押下操作された操作部に対応する方向に、スピーカの向きが所定角度ずつ変化する。【選択図】図２
2009267745.tif 000002
【特許請求の範囲】
【請求項１】
放送局から配信されるテレビ放送信号を受信して、前記テレビ放送信号に基く画像をディスプレイに表示すると共に、前記テレビ放送信号に基く音声をスピーカから出力するテレビジョン受像機において、
前記スピーカの向きを変化させるためにユーザにより操作される操作手段と、
前記操作手段の操作を受けて、前記スピーカの向きを上方向、下方向、左方向、右方向の４方向に変化させるスピーカ方向変化手段と、
を備えることを特徴とするテレビジョン受像機。
【請求項２】
前記操作手段は、前記スピーカの向きの変化方向である上方向、下方向、左方向、右方向の４方向に対応する４つの操作部を有し、
前記スピーカ方向変化手段は、前記４つの操作部のいずれかが操作されると、その操作された操作部に対応する方向に、前記スピーカの向きを変化させる、
ことを特徴とする請求項１に記載のテレビジョン受像機。
【請求項３】
前記４つの操作部は、それぞれ押下操作されるものであり、
前記スピーカ方向変化手段は、前記４つの操作部のいずれかが押下操作されている間、その押下操作されている操作部に対応する方向に、前記スピーカの向きを変化させ続け、押下操作されている操作部の押下操作が解除されると、前記スピーカの向きの変化を停止させる、
ことを特徴とする請求項２に記載のテレビジョン受像機。
【請求項４】
前記４つの操作部は、それぞれ押下操作されるものであり、
前記スピーカ方向変化手段は、前記４つの操作部のいずれかが押下操作される毎に、その押下操作された操作部に対応する方向に、前記スピーカの向きを所定角度だけ変化させる、
ことを特徴とする請求項２に記載のテレビジョン受像機。
【請求項５】
前記４つの操作部は、十字形状の十字キーとして一体化されている、
ことを特徴とする請求項２に記載のテレビジョン受像機。
【請求項６】
前記スピーカは、複数であり、
前記スピーカ方向変化手段は、前記操作手段の操作を受けて、複数のスピーカの向きを各スピーカ毎に個別に変化させる、
ことを特徴とする請求項１に記載のテレビジョン受像機。
【発明の詳細な説明】
【技術分野】
【０００１】
本発明は、放送局から配信されるテレビ放送信号を受信して、テレビ放送信号に基く画像、音声を再生するテレビジョン受像機に関するものである。
【背景技術】
【０００２】
従来から、テレビジョン受像機は、テレビ放送信号に基く画像（テレビ番組の画像）をディスプレイに表示すると共に、テレビ放送信号に基く音声（テレビ番組の音声）をスピーカから出力するようになっている。このようなテレビジョン受像機において、スピーカの向きを左右方向に変えることができるようにしたものが知られている（例えば特許文献１参照）。この特許文献１に記載のテレビジョン受像機では、リモコン操作により、スピーカの向きが調整可能とされている。
【０００３】
また、リモコンの存在方向を検出し、超音波によるスピーカの指向性をリモコンの存在する方向に可変するようにした音響装置が知られている（例えば特許文献２参照）。また、リモコンの存在位置を検出し、スピーカをリモコンの存在する方向に向けるようにした音響装置が知られている（例えば特許文献３参照）。
【特許文献１】特開２０００−２４４８４５号公報
【特許文献２】特開２００５−２９５４１１号公報
【特許文献３】特開平９−９３６９０号公報
【発明の開示】
【発明が解決しようとする課題】
【０００４】
ところで、テレビジョン受像機によりテレビ番組を視聴する場合、テレビジョン受像機の正面（ディスプレイの正面）にテレビ番組を視聴する者が居るとは限らない。すなわち、テレビ番組を視聴する者がテレビジョン受像機の正面から上方向、下方向、左方向、右方向にずれた位置に居る場合がある。このような場合、テレビ番組の音声を聴き取り易くするには、音量を大きくしなければならない。
【０００５】
また、テレビジョン受像機が設置されている同じ部屋内に、テレビ番組を視聴する者とテレビ番組を視聴していない者が居る場合もある。このような場合、テレビ番組を視聴する者にとって聴き取り易くなるように音量を調整すると、テレビ番組を視聴していない者にとっては、テレビ番組の音声が耳障りになり、逆に、テレビ番組を視聴していない者にとって耳障りにならないように音量を調整すると、テレビ番組を視聴している者にとっては、テレビ番組の音声が聴き取り難くなる。
【０００６】
そこで、スピーカの向きを上下左右の４方向に変化させることができる構成とし、ユーザ（テレビ番組を視聴している者、又は、テレビ番組を視聴していない者）がスピーカの向きを上下左右の４方向に変化させて、音声の出力方向を任意の方向に調整できるようにすることが考えられる。また、ユーザがスピーカの向きを変化させて音声の出力方向を調整する場合、簡単な作業によって、音声の出力方向を調整できることが望ましい。なお、上述した特許文献１乃至特許文献３には、スピーカの向きを上下左右の４方向に変化させることについては記載されていない。従って、これら特許文献１乃至特許文献３に記載の構成を適用したとしても、上記の問題を解決することはできない。
【０００７】
本発明は、上記課題を解決するためになされたものであり、音声の出力方向を簡単な操作によって任意の方向に調整することができるテレビジョン受像機を提供することを目的とする。
【課題を解決するための手段】
【０００８】
上記目的を達成するために請求項１の発明は、放送局から配信されるテレビ放送信号を受信して、テレビ放送信号に基く画像をディスプレイに表示すると共に、テレビ放送信号に基く音声をスピーカから出力するテレビジョン受像機において、スピーカの向きを変化させるためにユーザにより操作される操作手段と、操作手段の操作を受けて、スピーカの向きを上方向、下方向、左方向、右方向の４方向に変化させるスピーカ方向変化手段と、を備えるものである。
【０００９】
請求項２の発明は、請求項１に記載のテレビジョン受像機において、操作手段は、スピーカの向きの変化方向である上方向、下方向、左方向、右方向の４方向に対応する４つの操作部を有し、スピーカ方向変化手段は、４つの操作部のいずれかが操作されると、その操作された操作部に対応する方向に、スピーカの向きを変化させるものである。
【００１０】
請求項３の発明は、請求項２に記載のテレビジョン受像機において、４つの操作部は、それぞれ押下操作されるものであり、スピーカ方向変化手段は、４つの操作部のいずれかが押下操作されている間、その押下操作されている操作部に対応する方向に、スピーカの向きを変化させ続け、押下操作されている操作部の押下操作が解除されると、スピーカの向きの変化を停止させるものである。
【００１１】
請求項４の発明は、請求項２に記載のテレビジョン受像機において、４つの操作部は、それぞれ押下操作されるものであり、スピーカ方向変化手段は、４つの操作部のいずれかが押下操作される毎に、その押下操作された操作部に対応する方向に、スピーカの向きを所定角度だけ変化させるものである。
【００１２】
請求項５の発明は、請求項２に記載のテレビジョン受像機において、４つの操作部は、十字形状の十字キーとして一体化されているものである。
【００１３】
請求項６の発明は、請求項１に記載のテレビジョン受像機において、スピーカは、複数であり、スピーカ方向変化手段は、操作手段の操作を受けて、複数のスピーカの向きを各スピーカ毎に個別に変化させるものである。
【発明の効果】
【００１４】
請求項１の発明によれば、ユーザが操作手段を操作することにより、スピーカの向きを上方向、下方向、左方向、右方向の４方向に変化させて、音声の出力方向を任意の方向に調整することができる。従って、テレビ番組を視聴する者がテレビジョン受像機の正面からずれた位置に居る場合には、スピーカの向きをテレビ番組を視聴する者が居る方向に設定することにより、音量を大きくすることなくテレビ番組の音声を聴き取り易くなるように、適切に、音声の出力方向を調整することができる。また、テレビジョン受像機が設置されている同じ部屋内にテレビ番組を視聴する者とテレビ番組を視聴していない者が居る場合には、スピーカの向きをテレビ番組を視聴する者が居る方向に設定することにより、又は、スピーカの向きをテレビ番組を視聴していない者が居る方向からずらして設定することにより、テレビ番組を視聴する者にとっては聴き取り易くなると共にテレビ番組を視聴していない者にとっては耳障りにならないように、適切に、音声の出力方向を調整することができる。しかも、操作手段を操作する簡単な作業によって、スピーカの向きを変化させて、音声の出力方向を調整することができる。
【００１５】
請求項２の発明によれば、ユーザが操作部を操作すると、その操作した操作部に対応する方向にスピーカの向きが変化するため、より簡単な作業によって、スピーカの向きを所望の方向に変化させて、音声の出力方向を調整することができる。
【００１６】
請求項３の発明によれば、ユーザが操作部を押下操作している間、その押下操作している操作部に対応する方向にスピーカの向きが変化し続けるため、より簡単な作業によって、スピーカの向きを所望の角度だけ変化させて、音声の出力方向を調整することができる。
【００１７】
請求項４の発明によれば、ユーザが操作部を押下操作する毎に、その押下操作した操作部に対応する方向にスピーカの向きが所定角度ずつ変化するため、より簡単な作業によって、スピーカの向きを所望の角度だけ変化させて、音声の出力方向を調整することができる。
【００１８】
請求項５の発明によれば、スピーカの向きの変化方向と操作部との対応関係が判り易く、より容易に、スピーカの向きを所望の方向へ変化させて、音声の出力方向を調整することができる。
【００１９】
請求項６の発明によれば、複数のスピーカの向きを各スピーカ毎に個別に変化させることにより、より適切に、音声の出力方向を調整することができる。
【発明を実施するための最良の形態】
【００２０】
以下、本発明を具体化した実施形態によるテレビジョン受像機について図面を参照して説明する。図１は、本実施形態によるテレビジョン受像機の構成を示す。テレビジョン受像機１は、放送局から配信されるテレビ放送信号を受信して、テレビ放送信号に基く画像を表示すると共に、テレビ放送信号に基く音声を出力する機器である。
【００２１】
テレビジョン受像機１は、画像を表示するためのディスプレイ２と、音声を出力するための２つのスピーカ３Ｌ、３Ｒと、テレビジョン受像機１の各種動作を行うためにユーザに操作され、赤外線コード信号を送信するリモコン（リモートコントローラ）４と、リモコン４から送信される赤外線コード信号を受信するリモコン受信部５等を備える。
【００２２】
スピーカ３Ｌは、ディスプレイ２の左下に設けられており、スピーカ３Ｒは、ディスプレイ２の右下に設けられている。スピーカ３Ｌ、３Ｒは、上方向、下方向、左方向、右方向の４方向に向きを変化させることができ、スピーカ３Ｌ、３Ｒの向きを変化させることにより、スピーカ３Ｌ、３Ｒによる音声の出力方向を調整できるようになっている。スピーカ３Ｌ、３Ｒの向きは、リモコン４の操作によって変化させるようになっている。リモコン４により、スピーカ３Ｌ、３Ｒの向きを変化させるためにユーザにより操作される操作手段が構成されている。
【００２３】
図２は、テレビジョン受像機１のリモコン４の構成を示す。リモコン４は、テレビジョン受像機１の各種動作を行うためにユーザに操作される操作キーとして、電源キー４１、数字キー４２、十字キー４３等を備え、また、これらの操作キーの操作に応じて赤外線コード信号を送信する投光部４４を備えている。
【００２４】
電源キー４１は、テレビジョン受像機１の電源をオン／オフするために押下操作されるキーである。数字キー４２は、数値を選択するためのキーであり、テレビ放送信号の受信チャンネルを選局する等のために押下操作されるキーである。
【００２５】
十字キー４３は、スピーカ３Ｌ、３Ｒの向きを変化させるために操作されるキーであり、十字形状に構成されている。この十字キー４３は、４つの操作部４３ａ、４３ｂ、４３ｃ、４３ｄを有している。すなわち、４つの操作部４３ａ、４３ｂ、４３ｃ、４３ｄが十字形状の十字キー４３として一体化されている。
【００２６】
操作部４３ａは、スピーカ３Ｌ、３Ｒを上方向に変化させるために押下操作される操作部であり、十字キー４３の中心から上側の位置にある。操作部４３ｂは、スピーカ３Ｌ、３Ｒを下方向に変化させるために押下操作される操作部であり、十字キー４３の中心から下側の位置にある。また、操作部４３ｃは、スピーカ３Ｌ、３Ｒを左方向に変化させるために押下操作される操作部であり、十字キー４３の中心から左側の位置にある。操作部４３ｄは、スピーカ３Ｌ、３Ｒを右方向に変化させるために押下操作される操作部であり、十字キー４３の中心から右側の位置にある。すなわち、操作部４３ａ、４３ｂ、４３ｃ、４３ｄは、スピーカ３Ｌ、３Ｒの向きの変化方向である上方向、下方向、左方向、右方向の４方向に対応しており、それぞれ押下操作されるようになっている。
【００２７】
リモコン４は、これらの操作キーの操作に応じて、その操作に対応付けられた赤外線コード信号を投光部４４から送信する。
【００２８】
図３は、テレビジョン受像機１の電気的ブロック構成を示す。テレビジョン受像機１は、上述の構成に加え、チューナ６と、ＡＶ処理部７と、スピーカ角度調整部８Ｌ、８Ｒと、テレビジョン受像機１の動作を制御するＣＰＵ、ＲＯＭ、及びＲＡＭ等を含む制御部９等を備える。制御部９のＲＯＭには、テレビジョン受像機１の動作を制御するためのプログラムや各種データが記憶されている。
【００２９】
ディスプレイ２は、制御部９による制御のもと、画像信号が供給されることにより、その画像信号による画像を表示する。スピーカ３は、制御部９による制御のもと、音声信号が供給されることにより、その音声信号による音声を出力する。リモコン４は、上述のように、リモコン４の操作に応じて、その操作に対応付けられた赤外線コード信号を送信する。リモコン受信部５は、リモコン４から送信された赤外線コード信号を受信して電気信号に変換し、リモコン４の操作に対応するリモコン受信信号を出力する。
【００３０】
チューナ６は、制御部９による制御のもと、その受信周波数がテレビ放送信号のチャンネルに対応する周波数に設定されることにより、そのチャンネルのテレビ放送信号を受信する。ＡＶ処理部７は、制御部９による制御のもと、チューナ６により受信した信号を処理して、テレビ放送信号に基く画像（テレビ番組の画像）の画像信号及びテレビ放送信号に基く音声（テレビ番組の音声）の音声信号を生成する。ＡＶ処理部７により生成された画像信号及び音声信号は、制御部９による制御のもと、ディスプレイ２及びスピーカ３Ｌ、３Ｒに供給される。これにより、テレビ放送信号に基く画像がディスプレイ２に表示されると共に、テレビ放送信号に基く音声がスピーカ３Ｌ、３Ｒから出力される。
【００３１】
スピーカ角度調整部８Ｌは、モータ、ギア等を有しており、制御部９による制御のもと、スピーカ３Ｌの向きを上方向、下方向、左方向、右方向の４方向に変化させる。スピーカ角度調整部８Ｒは、スピーカ角度調整部８Ｌと同様にモータ、ギア等を有しており、制御部９による制御のもと、スピーカ３Ｒの向きを上方向、下方向、左方向、右方向の４方向に変化させる。スピーカ角度調整部８Ｌ、８Ｒ、及び制御部９等により、スピーカ方向変化手段が構成されている。
【００３２】
制御部９は、リモコン受信部５から出力されるリモコン受信信号を基にリモコン４の操作内容を判断し、リモコン４の操作に基いて、テレビ放送信号の受信動作、音声の出力方向の調整等、テレビジョン受像機１の各種動作を制御する。
【００３３】
音声の出力方向の調整は、制御部９による制御のもと、以下のようにして行われる。すなわち、制御部９は、リモコン４の操作を受けて、スピーカ角度調整部８Ｌ、８Ｒによりスピーカ３Ｌ、３Ｒの向きを変化させることによって、音声の出力方向を調整する。
【００３４】
このとき、制御部９は、リモコン４の十字キー４３の４つの操作部４３ａ、４３ｂ、４３ｃ、４３ｄのいずれかが押下操作されると、その押下操作された操作部に対応する方向に、スピーカ３Ｌ、３Ｒの向きを所定角度（例えば５°）だけ変化させる。つまり、制御部９は、操作部４３ａが押下操作されると、操作部４３ａに対応する方向である上方向に、スピーカ３Ｌ、３Ｒの向きを所定角度だけ変化させ、操作部４３ｂが押下操作されると、操作部４３ｂに対応する方向である下方向に、スピーカ３Ｌ、３Ｒの向きを所定角度だけ変化させる。また、操作部４３ｃが押下操作されると、操作部４３ｃに対応する方向である左方向に、スピーカ３Ｌ、３Ｒの向きを所定角度だけ変化させ、操作部４３ｄが押下操作されると、操作部４３ｄに対応する方向である右方向に、スピーカ３Ｌ、３Ｒの向きを所定角度だけ変化させる。
【００３５】
そして、制御部９は、操作部４３ａ、４３ｂ、４３ｃ、４３ｄのいずれかが押下操作される毎に、その押下操作された操作部に対応する方向に、スピーカ３Ｌ、３Ｒの向きを所定角度（例えば５°）ずつ変化させる。つまり、制御部９は、操作部４３ａ、４３ｂ、４３ｃ、４３ｄのいずれかが押下操作される都度、そのときの（押下操作される前の）スピーカ３Ｌ、３Ｒの向きから、その押下操作された操作部に対応する方向に、スピーカ３Ｌ、３Ｒの向きを所定角度だけ変化させる。音声の出力方向の調整は、このようにスピーカ３Ｌ、３Ｒの向きを変化させることによって行われる。
【００３６】
このような構成のテレビジョン受像機１によれば、リモコン４の十字キー４３を操作することにより、スピーカ３Ｌ、３Ｒの向きを上方向、下方向、左方向、右方向の４方向に変化させて、音声の出力方向を調整することができる。しかも、十字キー４３の操作部４３ａ、４３ｂ、４３ｃ、４３ｄのそれぞれを任意の回数押下操作することにより、スピーカ３Ｌ、３Ｒの向きを任意の方向に任意の角度だけ変化させて、音声の出力方向を任意の方向に調整することができる。
【００３７】
従って、テレビ番組を視聴する者がテレビジョン受像機１の正面（ディスプレイ２の正面）からずれた位置に居る場合には、スピーカ３Ｌ、３Ｒの向きをテレビ番組を視聴する者が居る方向にリモコン４で設定することにより、音量を大きくすることなくテレビ番組の音声を聴き取り易くなるように、適切に、音声の出力方向を調整することができる。
【００３８】
また、テレビジョン受像機１が設置されている同じ部屋内にテレビ番組を視聴する者とテレビ番組を視聴していない者が居る場合には、スピーカ３Ｌ、３Ｒの向きをテレビ番組を視聴する者が居る方向に設定することにより、又は、スピーカ３Ｌ、３Ｒの向きをテレビ番組を視聴していない者が居る方向からずらして設定することにより、テレビ番組を視聴する者にとっては聴き取り易くなると共にテレビ番組を視聴していない者にとっては耳障りにならないように、適切に、音声の出力方向を調整することができる。
【００３９】
また、このような構成のテレビジョン受像機１によれば、リモコン４の十字キー４３を操作する簡単な作業によって、スピーカの向きを変化させて、音声の出力方向を調整することができる。
【００４０】
しかも、十字キー４３の操作部４３ａ、４３ｂ、４３ｃ、４３ｄのいずれかを押下操作すると、その押下操作した操作部に対応する方向にスピーカ３Ｌ、３Ｒの向きが変化するため、より簡単な作業によって、スピーカ３Ｌ、３Ｒの向きを所望の方向に変化させて、音声の出力方向を調整することができる。
【００４１】
さらに、操作部４３ａ、４３ｂ、４３ｃ、４３ｄのいずれかを押下操作する毎に、その押下操作した操作部に対応する方向にスピーカ３Ｌ、３Ｒの向きが所定角度ずつ変化するため、より簡単な作業によって、スピーカ３Ｌ、３Ｒの向きを所望の角度だけ変化させて、音声の出力方向を調整することができる。
【００４２】
また、操作部４３ａ、４３ｂ、４３ｃ、４３ｄは、十字形状の十字キー４３として一体化され、スピーカ３Ｌ、３Ｒの向きの変化方向である上方向、下方向、左方向、右方向の４方向に対応しているため、スピーカ３Ｌ、３Ｒの向きの変化方向と操作部４３ａ、４３ｂ、４３ｃ、４３ｄとの対応関係が判り易く、より容易に、スピーカ３Ｌ、３Ｒの向きを所望の方向へ変化させて、音声の出力方向を調整することができる。
【００４３】
なお、本発明は、上記実施形態の構成に限られず、種々の変形が可能である。例えば、４つの操作部のいずれかが押下操作されている間、その押下操作されている操作部に対応する方向に、スピーカの向きを変化させ続け、押下操作されている操作部の押下操作が解除されると、スピーカの向きの変化を停止させるようにしてもよい。また、スピーカの向きは、各スピーカ毎に個別に変化させるようにしてもよい。また、スピーカは、２つに限られず、３つ以上であってもよい。また、４つの操作部は、十字キーとして一体化されている構成に限られず、個別のキーとして構成されていてもよい。
【図面の簡単な説明】
【００４４】
【図１】本発明の一実施形態に係るテレビジョン受像機の概略構成を示す正面図。
【図２】同テレビジョン受像機のリモコンの構成を示す平面図。
【図３】同テレビジョン受像機の電気的ブロック構成図。
【符号の説明】
【００４５】
１    テレビジョン受像機
２    ディスプレイ
３Ｌ、３Ｒ    スピーカ
４    リモコン
５    リモコン受信部
６    チューナ
７    ＡＶ処理部
８Ｌ、８Ｒ    スピーカ角度調整部
９    制御部
４１    電源キー
４２    数字キー
４３    十字キー
４４    投光部
４３ａ、４３ｂ、４３ｃ、４３ｄ    操作部
【図１】
2009267745.tif 000003
【図２】
2009267745.tif 000004
【図３】
2009267745.tif 000005